(57)【要約】      （修正有）【課題】ＵＳＢコネクタを順方向に差込んでも逆方向の差込んでも導通して動作させることが可能な両方向差込口を備えるＵＳＢ３．０ポートの構造を提供する。【解決手段】両方向に共用の接地伝送導体及び第一信号伝送導体及び第二信号伝送導体及び第一差分信号伝送導体及び第二差分信号伝送導体及び第三接地伝送導体及び第三差分信号伝送導体及び第四差分信号伝送導体及び第一電源伝送導体及び第三信号伝送導体及び第四信号伝送導体及び第二電源伝送導体及び第四接地伝送導体及び第五差分信号伝送導体及び第六差分信号伝送導体及び第七差分信号伝送導体及び第八差分信号伝送導体により、ＵＳＢコネクタを順方向に差込んでも逆方向に差し込んでもポートはいずれも導通して動作する。【選択図】図１
0003182974.tif 000002
【実用新案登録請求の範囲】
【請求項１】
第一絶縁基体と、
前記第一絶縁基体に設けられた接地伝送導体と、
前記第一絶縁基体に設けられるとともに、前記第一接地延伸部及び前記第二接地延伸部の間に配置される第一信号伝送導体と、
前記第一絶縁基体に設けられるとともに、前記第一信号伝送導体及び前記第二接地延伸部の間に配置される第二信号伝送導体と、
前記第一絶縁基体に設けられるとともに、前記接地伝送導体の一側に配置される第一差分信号伝送導体と、
前記第一絶縁基体に設けられるとともに、前記第一差分信号伝送導体における前記接地伝送導体から離れた一側に配置される第二差分信号伝送導体と、
前記第一絶縁基体に設けられるとともに、前記第二差分信号伝送導体における前記第一差分信号伝送導体から離れた一側に配置される第三接地伝送導体と、
前記第一絶縁基体に設けられるとともに、前記接地伝送導体における第一差分信号伝送導体から離れた一側に配置される第三差分信号伝送導体と、
前記第一絶縁基体に設けられるとともに、前記第三差分信号伝送導体における前記接地伝送導体から離れた一側に配置される第四差分信号伝送導体と、
前記第一絶縁基体に設けられるとともに、前記第四差分信号伝送導体における前記第三差分信号伝送導体から離れた一側に配置される第一電源伝送導体と、
前記第一絶縁基体と重ねて結合される第二絶縁基体と、
前記第二絶縁基体に設けられるとともに、前記第一信号伝送導体の一面に配置される第三信号伝送導体と、
前記第二絶縁基体に設けられるとともに、前記第二信号伝送導体の一面に配置される第四信号伝送導体と、
前記第二絶縁基体に設けられるとともに、前記第三接地伝送導体の一面に配置される第二電源伝送導体と、
前記第二絶縁基体に設けられるとともに、前記第一電源伝送導体の一面に配置される第四接地伝送導体と、
前記第二絶縁基体に設けられるとともに、前記第一差分信号伝送導体の一面に配置される第五差分信号伝送導体と、
前記第二絶縁基体に設けられるとともに、前記第二差分信号伝送導体の一面に配置され且つ前記第五差分信号伝送導体と並列される第六差分信号伝送導体と、
前記第二絶縁基体に設けられるとともに、前記第三差分信号伝送導体の一面に配置される第七差分信号伝送導体と、
前記第二絶縁基体に設けられるとともに、前記第四差分信号伝送導体の一面に配置され且つ前記第七差分信号伝送導体に並列される第八差分信号伝送導体と、
シールドケースと、からなる両方向差込口を備えるＵＳＢ３．０ポートの構造であって、
前記接地伝送導体の一端は、反対方向へ折れ曲がった第一接地接触部を形成し、前記第一接地接触部は、一端が二つに割れてそれぞれ延伸して第一接地延伸部及び第二接地延伸部を形成し、前記第一接地延伸部は、第一接地湾曲部及び第一接地溶接部を形成し、第二接地延伸部は、前記第一接地湾曲部と反対方向に湾曲する第二接地湾曲部及び第二接地溶接部を形成し、接地伝送導体の他端は、反対方向へ折れ曲がって延伸し第二接地接触部を形成し、
前記第一信号伝送導体は、前記第一接地湾曲部と同じ方向に湾曲した第一信号湾曲部を形成し、前記第一信号伝送導体の一端は第一信号溶接部を形成し、
前記第二信号伝送導体は、前記第一信号湾曲部と同じ方向に湾曲した第二信号湾曲部を形成し、前記第二信号伝送導体の一端は第二信号溶接部を形成し、
前記第一差分信号伝送導体は、前記第一接地湾曲部と同じ方向に湾曲した第一差分信号湾曲部を形成し、前記第一差分信号伝送導体の一端は、前記第一接地溶接部における前記第一信号溶接部から離れた側に配置される第一差分信号溶接部を形成し、
前記第二差分信号伝送導体は、前記第一差分信号湾曲部と同じ方向に湾曲した第二差分信号湾曲部を形成し、前記第二差分信号伝送導体の一端は、第二差分信号溶接部を形成し、
前記第三接地伝送導体は、前記第二差分信号湾曲部と同じ方向に湾曲した第三接地湾曲部を形成し、前記第三接地伝送導体の一端は第三接地溶接部を形成し、
前記第三差分信号伝送導体は、前記第二接地湾曲部と同じ方向に湾曲した第三差分信号湾曲部を形成し、前記第三差分信号伝送導体の一端は、第三差分信号溶接部を形成し、
前記第四差分信号伝送導体は、前記第三差分信号湾曲部と同じ方向に湾曲した第四差分信号湾曲部を形成し、前記第四差分信号伝送導体の一端は、第四差分信号溶接部を形成し、
前記第一電源伝送導体は、前記第四差分信号湾曲部と同じ方向に湾曲した第一電源湾曲部を形成し、前記第一電源伝送導体の一端は第一電源溶接部を形成し、
前記第三信号伝送導体は、前記第一信号湾曲部と反対方向に湾曲した第三信号湾曲部を形成し、前記第三信号伝送導体の一端は、前記第二信号溶接部と前記第二接地溶接部の間に配置される第三信号溶接部を形成し、
前記第四信号伝送導体は、前記第三信号湾曲部と同じ方向に湾曲した第四信号湾曲部を形成し、前記第四信号伝送導体の一端は、前記第三信号溶接部と前記第二接地溶接部の間に配置される第四信号溶接部を形成し、
前記第二電源伝送導体は、前記第三接地湾曲部と同じ方向に湾曲した第二電源湾曲部を形成し、前記第二電源伝送導体の一端は、前記第二差分信号溶接部と前記第三接地溶接部の間に配置される第二電源溶接部を形成し、
前記第四接地伝送導体は、前記第一電源湾曲部と同じ方向に湾曲した第四接地湾曲部を形成し、
前記第四接地伝送導体の一端は、前記第四差分信号溶接部と第一電源溶接部の間に配置される第四接地溶接部を形成し、
前記第五差分信号伝送導体は、前記第一差分信号湾曲部と同じ方向に湾曲した第五差分信号湾曲部を形成し、前記第五差分信号湾曲部は、一端へ向かって延伸して、前記第二電源伝送導体の一側に配置される第五差分信号延伸部を形成し、前記第五差分信号延伸部の一端は、前記第二電源溶接部と前記第三接地溶接部の間に配置される第五差分信号溶接部を形成し、
前記第六差分信号伝送導体は、前記第五差分信号湾曲部と同じ方向に湾曲した第六差分信号湾曲部を形成し、前記第六差分信号湾曲部は、一端へ向かって延伸して、前記第五差分信号延伸部における前記第二電源伝送導体から離れた一側に配置される第六差分信号延伸部を形成し、前記第六差分信号延伸部の一端は、前記第五差分信号溶接部と前記第三接地溶接部の間に配置される第六差分信号溶接部を形成し、
前記第七差分信号伝送導体は、前記第三差分信号湾曲部と同じ方向に湾曲した第七差分信号湾曲部を形成し、前記第七差分信号湾曲部は、一端へ向かって延伸して、前記第四接地伝送導体の一側に配置される第七差分信号延伸部を形成し、前記第七差分信号延伸部の一端は、前記第四接地溶接部と前記第一電源溶接部の間に配置される第七差分信号溶接部を形成し、
前記第八差分信号伝送導体は、前記第七差分信号湾曲部と同じ方向に湾曲した第八差分信号湾曲部を形成し、前記第八差分信号湾曲部は、一端へ向かって延伸して、前記第七差分信号延伸部における前記第四接地伝送導体から離れた一側に配置される第八差分信号延伸部を形成し、前記第八差分信号延伸部の一端は、前記第七差分信号溶接部と前記第一電源溶接部の間に配置される第八差分信号溶接部を形成し、
前記シールドケースは、前記第一絶縁基体及び前記第二絶縁基体を被覆することを特徴とする、両方向差込口を備えるＵＳＢ３．０ポートの構造。
【請求項２】
前記接地伝送導体及び第一信号伝送導体及び第二信号伝送導体及び第一差分信号伝送導体及び第二差分信号伝送導体及び第三接地伝送導体及び第三差分信号伝送導体及び第四差分信号伝送導体及び第一電源伝送導体及び第三信号伝送導体及び第四信号伝送導体及び第二電源伝送導体及び第四接地伝送導体及び第五差分信号伝送導体及び第六差分信号伝送導体及び第七差分信号伝送導体及び第八差分信号伝送導体の一端箇所には、印刷回路板が共通で設けられ、その連結方法は、上方向折り曲げ延伸方式（基板上）、或いは、下方向折り曲げ延伸方式（基板下）、或いは、連続折り曲げ延伸方式（等高基板）の内の一つであり、また前記基板上は、基板上平面貼付け、或いは、基板上高さ付けの内の一つであり、また前記基板下は、基板下平面貼付け、或いは、基板下高さ付けの内の一つであり、また、前記等高基板は、順方向等高基板、或いは、逆方向等高基板の内の一つであり、その連結方法は、垂直平面貼付け、或いは、垂直高さ付け、或いは、垂直等高基板、或いは、直立高さ付け、或いは、直立平面貼付け、或いは、直立等高基板の内の一つであることを特徴とする、請求項１に記載の両方向差込口を備えるＵＳＢ３．０ポートの構造。
【請求項３】
前記印刷回路板には、さらに、アダプター端子セットが連結され、印刷回路板と前記アダプター端子セットの連結方法は、表面貼付方式（ＳＭＴ）、或いは、差込連結方式（ＤＩＰ）、或いは、基板締付方式（Ｃｌａｍｐ）の内の一つであることを特徴とする、請求項２に記載の両方向差込口を備えるＵＳＢ３．０ポートの構造。
【請求項４】
前記連結方法は、一列表面貼付方式（ＳＭＴ）、或いは、一列差込連結方式（ＤＩＰ）、或いは、二列表面貼付方式（ＳＭＴ）、或いは、二列差込連結方式（ＤＩＰ）の内の一つであることを特徴とする、請求項２に記載の両方向差込口を備えるＵＳＢ３．０ポートの構造。
【考案の詳細な説明】
【技術分野】
【０００１】
本考案はコネクタに関し、特にＵＳＢコネクタを順方向に差し込んでも逆方向に差し込んでもいずれも導通させ動作させることが可能な両方向差込口を備えるＵＳＢ３．０ポートの構造に関する。
【背景技術】
【０００２】
コネクタには、ＵＳＢコネクタ等、様々な種類がある。ＵＳＢ３．０コネクタは、改良を重ねて進歩し、伝送速度が向上している。
【０００３】
従来の一般的なＵＳＢ３．０ポートには差込接続口が設けられており、差込接続口内には舌状片が設けられている。舌状片には、複数の金属導体が設けられ、前記金属導体により、コネクタを相互に差し込むことができる。しかも、舌状片が、差込接続口付近の内の一側の壁に位置しており、即ち完全な中間の箇所ではないため、コネクタを差し込む過程において、所属する仕切り板と舌状片上の金属導体を連結させることによって、ＵＳＢ３．０ポートにデータを伝送することができる。
【０００４】
しかしながら、上述した従来のＵＳＢ３．０ポートの使用においては、以下の問題と欠点があるため、改良が待たれている。
【０００５】
ＵＳＢ３．０ポートの舌状片は、差込接続口付近の内の一側の壁に位置しているため、コネクタを逆方向に差し込もうとした場合、差し込めないという状況が生じる。もし、舌状片を中間箇所に移動させてコネクタを反対に差し込んだとしても、コネクタが金属導体と電気的に接続されない。従って、使用者は差し込む前に必ずＵＳＢ３．０ポート舌状片の位置を観察して、コネクタの方向を確認し、順方向に差し込む必要がある。
【考案の概要】
【考案が解決しようとする課題】
【０００６】
本考案の考案者は、上述の欠点を鑑み、関連資料を収集し、他方面から予測と考察を繰り返すとともに、業界での長年の経験を活かして絶え間ない試作と修正を行った結果、ついに、ＵＳＢコネクタを順方向に差し込んでも逆方向に差し込んでもいずれも導通させ動作させることが可能な両方向差込口を備えるＵＳＢ３．０ポートの構造を考案した。
【０００７】
そこで、本考案は、複数の伝送導体の設置と特殊な配列方式により、ＵＳＢコネクタを順方向に差込んでも逆方向の差込んでも導通して動作させることが可能な両方向差込口を備えるＵＳＢ３．０ポートの構造を提供することを目的とする。
【課題を解決するための手段】
【０００８】
上述の目的を達成するために、本考案の主な構造は、接地伝送導体と、第一信号伝送導体と、第二信号伝送導体と、第一差分信号伝送導体と、第二差分信号伝送導体と、第三接地伝送導体と、第三差分信号伝送導体と、第四差分信号伝送導体と、第一電源伝送導体と、第三信号伝送導体と、第四信号伝送導体と、第二電源伝送導体と、第四接地伝送導体と、第五差分信号伝送導体と、第六差分信号伝送導体と、第七差分信号伝送導体と、第八差分信号伝送導体と、からなる。使用者がＵＳＢコネクタを順方向に差込んだ時、そのＵＳＢコネクタの金属伝送導体は、前記接地伝送導体及び第一信号伝送導体及び第二信号伝送導体及び第一差分信号伝送導体及び第二差分信号伝送導体及び第三接地伝送導体及び第三差分信号伝送導体及び第四差分信号伝送導体及び第一電源伝送導体と電気的に接触して導通する。使用者がＵＳＢコネクタを逆方向に差込んだ場合は、金属伝送導体が、接地伝送導体及び第三信号伝送導体及び第四信号伝送導体及び第二電源伝送導体及び第四接地伝送導体及び第五差分信号伝送導体及び第六差分信号伝送導体及び第七差分信号伝送導体及び第八差分信号伝送導体に電気的に接触して導通する。以上により、ＵＳＢコネクタを、順方向の差込でも逆方向の差込でも電気的に導通させることができる。
【考案の効果】
【０００９】
上述の技術により、従来のＵＳＢ３．０ポートに存在する問題（即ち、ＵＳＢ３．０ポートの舌状片が差込接続口付近の内の一側の壁に位置することによりコネクタを逆方向に差し込もうとした場合に差し込めないという事態が発生し、もし、舌状片を中間箇所に移動させてコネクタを反対に差し込んだとしても、コネクタが金属導体と電気的に接続されず、従って、使用者は差し込む前に必ずＵＳＢ３．０ポート舌状片の位置を観察して、コネクタの方向を確認し、順方向に差し込む必要がある）を解決することができる。本考案は、上述の利点と実用進歩性を有する。
【図面の簡単な説明】
【００１０】
【図１】本考案の実施例１の斜視図である。
【図２】本考案の実施例１の断面図である。
【図３】本考案の実施例１の一部を示した概略図１である。
【図４】本考案の実施例１の一部を示した概略図２である。
【図５】本考案にＵＳＢコネクタを順方向に差し込んだ実施例を示した概略図である。
【図６】本考案にＵＳＢコネクタを逆方向に差込し込んだ実施例を示した概略図である。
【図７】本考案に印刷回路板を結合させた実施例を示した図である。
【図８】本考案の印刷回路板にアダプター端子セットを連結した実施例を示した概略図である。
【図９】本考案の実施例２の一部を示した概略図１である。
【図１０】本考案の実施例２の一部を示した概略図２である。
【考案を実施するための形態】
【００１１】
（実施例１）
図１から図４を参照する。図１から図４は、本考案の実施例１の斜視図、断面図、及び一部を示した概略図１、２である。図から分かるように、本考案の主な構造は、第一絶縁基体１と、第一絶縁基体１に設けられた接地伝送導体２０と、第一絶縁基体１に設けられるとともに、第一接地延伸部２０２及び第二接地延伸部２０３の間に配置される第一信号伝送導体２１と、第一絶縁基体１に設けられるとともに、第一信号伝送導体２１及び第二接地延伸部２０３の間に配置される第二信号伝送導体２２と、第一絶縁基体１に設けられるとともに、接地伝送導体２０の一側に配置される第一差分信号伝送導体２３と、第一絶縁基体１に設けられるとともに、第一差分信号伝送導体２３における接地伝送導体２０から離れた一側に配置される第二差分信号伝送導体２４と、第一絶縁基体１に設けられるとともに、第二差分信号伝送導体２４における第一差分信号伝送導体２３から離れた一側に設けられた第三接地伝送導体２５と、第一絶縁基体１に設けられるとともに、接地伝送導体２０における第一差分信号伝送導体２３から離れた一側に配置される第三差分信号伝送導体２６と、第一絶縁基体１に設けられるとともに、第三差分信号伝送導体２６における接地伝送導体２０から離れた一側に配置される第四差分信号伝送導体２７と、第一絶縁基体１に設けられるとともに、第四差分信号伝送導体２７における第三差分信号伝送導体２６から離れた一側に配置される第一電源伝送導体２８と、第一絶縁基体１に重ねて結合された第二絶縁基体３と、第二絶縁基体３に設けられるとともに、第一信号伝送導体２１の一面に配置される第三信号伝送導体４０と、第二絶縁基体３に設けられるとともに、第二信号伝送導体２２の一面に配置される第四信号伝送導体４１と、第二絶縁基体３に設けられるとともに、第三接地伝送導体２５の一面に配置される第二電源伝送導体４２と、第二絶縁基体３に設けられるとともに、第一電源伝送導体２８の一面に配置される第四接地伝送導体４３と、第二絶縁基体３に設けられるとともに、第一差分信号伝送導体２３の一面に配置される第五差分信号伝送導体４４と、第二絶縁基体３に設けられるとともに、第二差分信号伝送導体２４の一面に配置され且つ第五差分信号伝送導体４４と並列された第六差分信号伝送導体４５と、第二絶縁基体３に設けられるとともに、第三差分信号伝送導体２６の一面に配置される第七差分信号伝送導体４６と、第二絶縁基体３に設けられるとともに、第四差分信号伝送導体２７の一面に配列され且つ第七差分信号伝送導体４６と並列された第八差分信号伝送導体４７と、シールドケース５とからなる。
【００１２】
接地伝送導体２０の一端は、反対方向へ折れ曲がった第一接地接触部２０１を形成し、第一接地接触部２０１は、一端が二つに割れてそれぞれ延伸して第一接地延伸部２０２及び第二接地延伸部２０３を形成する。第一接地延伸部２０２は、第一接地湾曲部２０２１及び第一接地溶接部２０２２を形成し、第二接地延伸部２０３は、第一接地湾曲部２０２１と反対方向に湾曲する第二接地湾曲部２０３１及び第二接地溶接部２０３２を形成し、接地伝送導体２０他端は、反対方向へ折れ曲がって延伸し第二接地接触部２０４を形成する。
【００１３】
第一信号伝送導体２１は、第一接地湾曲部２０２１と同じ方向に湾曲した第一信号湾曲部２１１を形成し、第一信号伝送導体２１の一端は、第一信号溶接部２１２を形成する。
【００１４】
第二信号伝送導体２２は、第一信号湾曲部２１１と同じ方向に湾曲した第二信号湾曲部２２１を形成し、第二信号伝送導体２２の一端は、第二信号溶接部２２２を形成する。
【００１５】
第一差分信号伝送導体２３は、第一接地湾曲部２０２１と同じ方向に湾曲した第一差分信号湾曲部２３１を形成し、第一差分信号伝送導体２３の一端は、第一接地溶接部２０２２における第一信号溶接部２１２から離れた側に配置される第一差分信号溶接部２３２を形成する。
【００１６】
第二差分信号伝送導体２４は、第一差分信号湾曲部２３１と同じ方向に湾曲した第二差分信号湾曲部２４１を形成し、第二差分信号伝送導体２４の一端は、第二差分信号溶接部２４２を形成する。
【００１７】
第三接地伝送導体２５は、第二差分信号湾曲部２４１と同じ方向に湾曲した第三接地湾曲部２５１を形成し、第三接地伝送導体２５の一端は、第三接地溶接部２５２を形成する。
【００１８】
第三差分信号伝送導体２６は、第二接地湾曲部２０３１と同じ方向に湾曲した第三差分信号湾曲部２６１を形成し、第三差分信号伝送導体２６の一端は、第三差分信号溶接部２６２を形成する。
【００１９】
第四差分信号伝送導体２７は、第三差分信号湾曲部２６１と同じ方向に湾曲した第四差分信号湾曲部２７１を形成し、第四差分信号伝送導体２７の一端は、第四差分信号溶接部２７２を形成する。
【００２０】
第一電源伝送導体２８は、第四差分信号湾曲部２７１と同じ方向に湾曲した第一電源湾曲部２８１を形成し、第一電源伝送導体２８の一端は、第一電源溶接部２８２を形成する。
【００２１】
第三信号伝送導体４０は、第一信号湾曲部２１１と反対方向に湾曲した第三信号湾曲部４０１を形成し、第三信号伝送導体４０の一端は、第二信号溶接部２２２と第二接地溶接部２０３２の間に配置される第三信号溶接部４０２を形成する。
【００２２】
第四信号伝送導体４１は、第三信号湾曲部４０１と同じ方向に湾曲した第四信号湾曲部４１１を形成し、第四信号伝送導体４１の一端は、第三信号溶接部４０２と第二接地溶接部２０３２の間に配置される第四信号溶接部４１２を形成する。
【００２３】
第二電源伝送導体４２は、第三接地湾曲部２５１と同じ方向に湾曲した第二電源湾曲部４２１を形成し、第二電源伝送導体４２の一端は、第二差分信号溶接部２４２と第三接地溶接部２５２の間に配置される第二電源溶接部４２２を形成する。
【００２４】
第四接地伝送導体４３は、第一電源湾曲部２８１と同じ方向に湾曲した第四接地湾曲部４３１を形成し、第四接地伝送導体４３の一端は、第四差分信号溶接部２７２と第一電源溶接部２８２の間に配置される第四接地溶接部４３２を形成する。
【００２５】
第五差分信号伝送導体４４は、第一差分信号湾曲部２３１と同じ方向に湾曲した第五差分信号湾曲部４４１を形成し、第五差分信号湾曲部４４１は、一端へ向かって延伸して、第二電源伝送導体４２の一側に配置される第五差分信号延伸部４４２を形成し、第五差分信号延伸部４４２の一端は、第二電源溶接部４２２と第三接地溶接部２５２の間に配置される第五差分信号溶接部４４３を形成する。
【００２６】
第六差分信号伝送導体４５は、第五差分信号湾曲部４４１と同じ方向に湾曲した第六差分信号湾曲部４５１を形成し、第六差分信号湾曲部４５１は、一端へと延伸して、第五差分信号延伸部４４２における第二電源伝送導体４２から離れた一側に配置される第六差分信号延伸部４５２を形成し、第六差分信号延伸部４５２の一端は、第五差分信号溶接部４４３と第三接地溶接部２５２の間に配置される第六差分信号溶接部４５３を形成する。
【００２７】
第七差分信号伝送導体４６は、第三差分信号湾曲部２６１と同じ方向に湾曲した第七差分信号湾曲部４６１を形成し、第七差分信号湾曲部４６１は、一端に向かって延伸して、第四接地伝送導体４３の一側に配置される第七差分信号延伸部４６２を形成し、第七差分信号延伸部４６２の一端は、第四接地溶接部４３２と第一電源溶接部２８２の間に配置される第七差分信号溶接部４６３を形成する。
【００２８】
第八差分信号伝送導体４７は、第七差分信号湾曲部４６１と同じ方向に湾曲した第八差分信号湾曲部４７１を形成し、第八差分信号湾曲部４７１は、一端へと延伸して、第七差分信号延伸部４６２における第四接地伝送導体４３から離れた一側に配置される第八差分信号延伸部４７２を形成し、第八差分信号延伸部４７２の一端は、第七差分信号溶接部４６３と第一電源溶接部２８２の間に配置される第八差分信号溶接部４７３を形成する。
【００２９】
シールドケース５は、第一絶縁基体１及び第二絶縁基体３を被覆する。
【００３０】
上述の構造、組み合わせ設計による本考案の使用作動状況について以下に説明を行う。図１から図６を参照する。図１から図６を同時に参照する。図１から図６は、実施例１の斜視図、断面図、及び一部を示した概略図１、２、ＵＳＢコネクタを順方向に差し込んだ実施例を示した概略図、ＵＳＢコネクタを逆方向に差込し込んだ実施例を示した概略図である。図から分かるように、ＵＳＢコネクタ６を順方向で本考案のポートに差込むと、そのＵＳＢコネクタ６の金属伝送導体が、接地伝送導体２０及び第一信号伝送導体２１及び第二信号伝送導体２２及び第一差分信号伝送導体２３及び第二差分信号伝送導体２４及び第三接地伝送導体２５及び第三差分信号伝送導体２６及び第四差分信号伝送導体２７及び第一電源伝送導体２８と電気的に接触して導通する。また、ＵＳＢコネクタ６を逆方向で本考案のポートに差込と、そのＵＳＢコネクタ６の金属伝送導体が、接地伝送導体２０及び第三信号伝送導体４０及び第四信号伝送導体４１及び第二電源伝送導体４２及び第四接地伝送導体４３及び第五差分信号伝送導体４４及び第六差分信号伝送導体４５及び第七差分信号伝送導体４６及び第八差分信号伝送導体４７と電気的に接続し導通する。しかも、図から分かるように、その接地伝送導体２０は、ＵＳＢコネクタ６を順方向に差込んだ時或いは逆方向に差し込んだ時のいずれでも共同で使用できる伝送導体である。従って、本考案には、両方向のどちらに差し込んでも導通させることができる利点がある。
【００３１】
図７を参照する。図７は、本考案に印刷回路板を結合させた実施例を示した図である。図から分かるように、接地伝送導体及び第一信号伝送導体及び第二信号伝送導体及び第一差分信号伝送導体及び第二差分信号伝送導体及び第三接地伝送導体及び第三差分信号伝送導体及び第四差分信号伝送導体及び第一電源伝送導体及び第三信号伝送導体及び第四信号伝送導体及び第二電源伝送導体及び第四接地伝送導体及び第五差分信号伝送導体及び第六差分信号伝送導体及び第七差分信号伝送導体及び第八差分信号伝送導体の一端箇所には、印刷回路板７が共通で設けられ、その連結方法は、一列表面貼付方式（ＳＭＴ）、或いは、一列差込連結方式（ＤＩＰ）、或いは、二列表面貼付方式（ＳＭＴ）、或いは、二列差込連結方式（ＤＩＰ）、或いは、上方向折り曲げ延伸方式（基板上）、或いは、下方向折り曲げ延伸方式（基板下）、或いは、連続折り曲げ延伸方式（等高基板）の内の一つである。また前記基板上は、基板上平面貼付け、或いは、基板上高さ付けの内の一つであり、また前記基板下は、基板下平面貼付け、或いは、基板下高さ付けの内の一つである。また、前記等高基板は、順方向等高基板、或いは、逆方向等高基板の内の一つであり、その連結方法は、垂直平面貼付け、或いは、垂直高さ付け、或いは、垂直等高基板、或いは、直立高さ付け、或いは、直立平面貼付け、或いは、直立等高基板の内の一つであり、本図では、連続折り曲げ延伸方式（等高基板）を例にとっている。
【００３２】
図８を参照する。図８は、本考案の印刷回路板にアダプター端子セットを連結した実施例を示した概略図である。図から分かるように、印刷回路板７には、さらに、アダプター端子セット７１が連結される。なお、印刷回路板７とアダプター端子セット７１の連結方法は、表面貼付方式（ＳＭＴ）、或いは、差込連結方式（ＤＩＰ）、或いは、基板締付方式（Ｃｌａｍｐ）の内の一つであり、本図では、差込連結方式（ＤＩＰ）を例にとっている。
【００３３】
（実施例２）
図９と図１０を参照する。図９は、本考案の実施例２の一部を示した概略図１であり、図１０は、本考案の実施例２の一部を示した概略図２である。図から分かるように、本考案の実施例２は、第一絶縁基体と、第一絶縁基体に設けられた接地伝送導体２０ａと、第一絶縁基体に設けられるとともに、第一接地延伸部２０２ａ及び第二接地延伸部２０３ａの間に配置される第一信号伝送導体２１ａと、第一絶縁基体に設けられるとともに、第一信号伝送導体２１ａ及び第二接地延伸部２０３ａの間に配置される第二信号伝送導体２２ａと、第一絶縁基体に設けられるとともに、接地伝送導体２０ａの一側に配置される第一差分信号伝送導体２３ａと、第一絶縁基体に設けられるとともに、第一差分信号伝送導体２３ａにおける接地伝送導体２０ａから離れた一側に配置される第二差分信号伝送導体２４ａと、第一絶縁基体に設けられるとともに、第二差分信号伝送導体２４ａにおける第一差分信号伝送導体２３ａから離れた一側に配置される第三接地伝送導体２５ａと、第一絶縁基体に設けられるとともに、接地伝送導体２０ａにおける第一差分信号伝送導体２３ａから離れた一側に配置される第三差分信号伝送導体２６ａと、第一絶縁基体に設けられるとともに、第三差分信号伝送導体２６ａにおける接地伝送導体２０ａから離れた一側に配置される第四差分信号伝送導体２７ａと、第一絶縁基体に設けられるとともに、第四差分信号伝送導体２７ａにおける第三差分信号伝送導体２６ａから離れた一側に配置される第一電源伝送導体２８ａと、第一絶縁基体に重ねて結合された第二絶縁基体と、第二絶縁基体に設けられるとともに、第一信号伝送導体２１ａの一面に配置される第三信号伝送導体４０ａと、第二絶縁基体に設けられるとともに、第二信号伝送導体２２ａの一面に配置される第四信号伝送導体４１ａと、第二絶縁基体に設けられるとともに、第三接地伝送導体２５ａの一面に配置される第二電源伝送導体４２ａと、第二絶縁基体に設けられるとともに、第一電源伝送導体２８ａの一面に配置される第四接地伝送導体４３ａと、第二絶縁基体に設けられるとともに、第一差分信号伝送導体２３ａの一面に配置される第五差分信号伝送導体４４ａと、第二絶縁基体に設けられるとともに、第二差分信号伝送導体２４ａの一面に配置され且つ第五差分信号伝送導体４４ａと並列される第六差分信号伝送導体４５ａと、第二絶縁基体に設けられるとともに、第三差分信号伝送導体２６ａの一面に配置される第七差分信号伝送導体４６ａと、第二絶縁基体に設けられるとともに、第四差分信号伝送導体２７ａの一面に配置され且つ第七差分信号伝送導体４６ａと並列される第八差分信号伝送導体４７ａと、シールドケースと、からなる。
【００３４】
第一絶縁基体に設けられた接地伝送導体２０ａの一端は、反対方向へ折れ曲がった第一接地接触部２０１ａを形成し、第一接地接触部２０１ａは、一端が二つに割れてそれぞれ延伸して第一接地延伸部２０２ａ及び第二接地延伸部２０３ａを形成し、第一接地延伸部２０２ａは、第一接地湾曲部２０２１ａ及び第一接地溶接部２０２２ａを形成し、第二接地延伸部２０３ａは、第一接地湾曲部２０２１ａと反対方向に湾曲する第二接地湾曲部２０３１ａ及び第二接地溶接部２０３２ａを形成し、接地伝送導体２０ａの他端は、反対方向へ折れ曲がって延伸し第二接地接触部２０４ａを形成する。
【００３５】
第一信号伝送導体２１ａは、第一接地湾曲部２０２１ａと反対方向に湾曲する第一信号湾曲部２１１ａを形成し、第一信号伝送導体２１ａの一端は、第一信号溶接部２１２ａを形成する。
【００３６】
第二信号伝送導体２２ａは、第一信号湾曲部２１１ａと同じ方向に湾曲した第二信号湾曲部２２１ａを形成し、第二信号伝送導体２２ａの一端は、第二信号溶接部２２２ａを形成する。
【００３７】
第一差分信号伝送導体２３ａは、第一接地湾曲部２０２１ａと同じ方向に湾曲した第一差分信号湾曲部２３１ａを形成し、第一差分信号伝送導体２３ａの一端は、第一接地溶接部２０２２ａにおける第一信号溶接部２１２ａから離れた側に配置される第一差分信号溶接部２３２ａを形成する。
【００３８】
第二差分信号伝送導体２４ａは、第一差分信号湾曲部２３１ａと同じ方向に湾曲した第二差分信号湾曲部２４１ａを形成し、第二差分信号伝送導体２４ａの一端は、第二差分信号溶接部２４２ａを形成する。
【００３９】
第三接地伝送導体２５ａは、第二差分信号湾曲部２４１ａと同じ方向に湾曲した第三接地湾曲部２５１ａを形成し、第三接地伝送導体２５ａの一端は、第三接地溶接部２５２ａを形成する。
【００４０】
第三差分信号伝送導体２６ａは、第二接地湾曲部２０３１ａと同じ方向に湾曲した第三差分信号湾曲部２６１ａを形成し、第三差分信号伝送導体２６ａの一端は、第三差分信号溶接部２６２ａを形成する。
【００４１】
第四差分信号伝送導体２７ａは、第三差分信号湾曲部２６１ａと同じ方向に湾曲した第四差分信号湾曲部２７１ａを形成し、第四差分信号伝送導体２７ａの一端は、第四差分信号溶接部２７２ａを形成する。
【００４２】
第一電源伝送導体２８ａは、第四差分信号湾曲部２７１ａと同じ方向に湾曲した第一電源湾曲部２８１ａを形成し、第一電源伝送導体２８ａの一端は、第一電源溶接部２８２ａを形成する。
【００４３】
第三信号伝送導体４０ａは、第一信号湾曲部２１１ａと反対方向に湾曲した第三信号湾曲部４０１ａを形成し、第三信号伝送導体４０ａの一端は、第一信号溶接部２１２ａと第一接地溶接部２０２２ａの間に配置される第三信号溶接部４０２ａを形成する。
【００４４】
第四信号伝送導体４１ａは、第三信号湾曲部４０１ａと同じ方向に湾曲した第四信号湾曲部４１１ａを形成し、第四信号伝送導体４１ａの一端は、第三信号溶接部４０２ａと第一信号溶接部２１２ａの間に配置される第四信号溶接部４１２ａを形成する。
【００４５】
第二電源伝送導体４２ａは、第三接地湾曲部２５１ａと同じ方向に湾曲した第二電源湾曲部４２１ａを形成し、第二電源伝送導体４２ａの一端は、第二差分信号溶接部２４２ａと第三接地溶接部２５２ａの間に配置される第二電源溶接部４２２ａを形成する。
【００４６】
第四接地伝送導体４３ａは、第一電源湾曲部２８１ａと同じ方向に湾曲した第四接地湾曲部４３１ａを形成し、第四接地伝送導体４３ａの一端は、第四差分信号溶接部２７２ａと第一電源溶接部２８２ａの間に配置される第四接地溶接部４３２ａを形成する。
【００４７】
第五差分信号伝送導体４４ａは、第一差分信号湾曲部２３１ａと同じ方向に湾曲した第五差分信号湾曲部４４１ａを形成し、第五差分信号湾曲部４４１ａは、一端へ向かって延伸して、第二電源伝送導体４２ａの一側に配置される第五差分信号延伸部４４２ａを形成し、第五差分信号延伸部４４２ａの一端は、第二電源溶接部４２２ａと第三接地溶接部２５２ａの間に配置される第五差分信号溶接部４４３ａを形成する。
【００４８】
第六差分信号伝送導体４５ａは、第五差分信号湾曲部４４１ａと同じ方向に湾曲した第六差分信号湾曲部４５１ａを形成し、第六差分信号湾曲部４５１ａは、一端へ向かって延伸して、第五差分信号延伸部４４２ａにおける第二電源伝送導体４２ａから離れた一側に配置される第六差分信号延伸部４５２ａを形成し、第六差分信号延伸部４５２ａの一端は、第五差分信号溶接部４４３ａと第三接地溶接部２５２ａの間に配置される第六差分信号溶接部４５３ａを形成する。
【００４９】
第七差分信号伝送導体４６ａは、第三差分信号湾曲部２６１ａと同じ方向に湾曲した第七差分信号湾曲部４６１ａを形成し、第七差分信号湾曲部４６１ａは、一端へ向かって延伸して、第四接地伝送導体４３ａの一側に配置される第七差分信号延伸部４６２ａを形成し、第七差分信号延伸部４６２ａの一端は、第四接地溶接部４３２ａと第一電源溶接部２８２ａの間に配置される第七差分信号溶接部４６３ａを形成する。
【００５０】
第八差分信号伝送導体４７ａは、第七差分信号湾曲部４６１ａと同じ方向に湾曲した第八差分信号湾曲部４７１ａを形成し、第八差分信号湾曲部４７１ａは、一端へ向かって延伸して、第七差分信号延伸部４６２ａにおける第四接地伝送導体４３ａから離れた一側に配置された第八差分信号延伸部４７２ａを形成し、第八差分信号延伸部４７２ａの一端は、第七差分信号溶接部４６３ａと第一電源溶接部２８２ａの間に配置される第八差分信号溶接部４７３ａを形成する。
【００５１】
シールドケースは、第一絶縁基体及び第二絶縁基体を被覆する。
【００５２】
また、上述した接地伝送導体２０ａ及び第一信号伝送導体２１ａ及び第二信号伝送導体２２ａ及び第一差分信号伝送導体２３ａ及び第二差分信号伝送導体２４ａ及び第三接地伝送導体２５ａ及び第三差分信号伝送導体２６ａ及び第四差分信号伝送導体２７ａ及び第一電源伝送導体２８ａ及び第三信号伝送導体４０ａ及び第四信号伝送導体４１ａ及び第二電源伝送導体４２ａ及び第四接地伝送導体４３ａ及び第五差分信号伝送導体４４ａ及び第六差分信号伝送導体４５ａ及び第七差分信号伝送導体４６ａ及び第八差分信号伝送導体４７ａの一端箇所には、印刷回路板が共通で設けられ、その連結方法は、一列表面貼付方式（ＳＭＴ）、或いは、一列差込連結方式（ＤＩＰ）、或いは、二列表面貼付方式（ＳＭＴ）、或いは、二列差込連結方式（ＤＩＰ）、或いは、上方向折り曲げ延伸方式（基板上）、或いは、下方向折り曲げ延伸方式（基板下）、或いは、連続折り曲げ延伸方式（等高基板）の内の一つである。また前記基板上は、基板上平面貼付け、或いは、基板上高さ付けの内の一つであり、前記基板下は、基板下平面貼付け、或いは、基板下高さ付けの内の一つである。また、前記等高基板は、順方向等高基板、或いは、逆方向等高基板の内の一つであり、その連結方法は、垂直平面貼付け、或いは、垂直高さ付け、或いは、垂直等高基板、或いは、直立高さ付け、或いは、直立平面貼付け、或いは、直立等高基板の内の一つである。また、印刷回路板には、さらに、アダプター端子セットが設けられ、アダプター端子セットの連結方法は、表面貼付方式（ＳＭＴ）、或いは、差込連結方式（ＤＩＰ）、或いは、基板締付方式（Ｃｌａｍｐ）の内の一つである。
【符号の説明】
【００５３】
１                    第一絶縁基体
２０、２０ａ          接地伝送導体  
２０１、２０１ａ      第一接地接触部
２０２、２０２ａ      第一接地延伸部
２０２１、２０２１ａ  第一接地湾曲部
２０２２、２０２２ａ  第一接地溶接部
２０３、２０３ａ      第二接地延伸部
２０３１、２０３１ａ  第二接地湾曲部
２０３２、２０３２ａ  第二接地溶接部
２０４、２０４ａ      第二接地接触部
２１、２１ａ          第一信号伝送導体
２１１、２１１ａ      第一信号湾曲部
２１２、２１２ａ      第一信号溶接部
２２、２２ａ          第二信号伝送導体
２２１、２２１ａ      第二信号湾曲部
２２２、２２２ａ      第二信号溶接部
２３、２３ａ          第一差分信号伝送導体
２３１、２３１ａ      第一差分信号湾曲部
２３２、２３２ａ      第一差分信号溶接部
２４、２４ａ          第二差分信号伝送導体
２４１、２４１ａ      第二差分信号湾曲部
２４２、２４２ａ      第二差分信号溶接部
２５、２５ａ          第三接地伝送導体
２５１、２５１ａ      第三接地湾曲部
２５２、２５２ａ      第三接地溶接部
２６、２６ａ          第三差分信号伝送導体
２６１、２６１ａ      第三差分信号湾曲部
２６２、２６２ａ      第三差分信号溶接部
２７、２７ａ          第四差分信号伝送導体
２７１、２７１ａ      第四差分信号湾曲部
２７２、２７２ａ      第四差分信号溶接部
２８、２８ａ          第一電源伝送導体
２８１、２８１ａ      第一電源湾曲部
２８２、２８２ａ      第一電源溶接部
３                    第二絶縁基体
４０、４０ａ          第三信号伝送導体
４０１、４０１ａ      第三信号湾曲部
４０２、４０２ａ      第三信号溶接部
４１、４１ａ          第四信号伝送導体
４１１、４１１ａ      第四信号湾曲部
４１２、４１２ａ      第四信号溶接部
４２、４２ａ          第二電源伝送導体
４２１、４２１ａ      第二電源湾曲部
４２２、４２２ａ      第二電源溶接部
４３、４３ａ          第四接地伝送導体
４３１、４３１ａ      第四接地湾曲部
４３２、４３２ａ      第四接地溶接部
４４、４４ａ          第五差分信号伝送導体
４４１、４４１ａ      第五差分信号湾曲部
４４２、４４２ａ      第五差分信号延伸部
４４３、４４３ａ      第五差分信号溶接部
４５、４５ａ          第六差分信号伝送導体
４５１、４５１ａ      第六差分信号湾曲部
４５２、４５２ａ      第六差分信号延伸部
４５３、４５３ａ      第六差分信号溶接部
４６、４６ａ          第七差分信号伝送導体
４６１、４６１ａ      第七差分信号湾曲部
４６２、４６２ａ      第七差分信号延伸部
４６３、４６３ａ      第七差分信号溶接部
４７、４７ａ          第八差分信号伝送導体
４７１、４７１ａ      第八差分信号湾曲部
４７２、４７２ａ      第八差分信号延伸部
４７３、４７３ａ      第八差分信号溶接部
５                    シールドケース
６                    ＵＳＢコネクタ
７                    印刷回路板
７１                  アダプター端子セット
【図１】
0003182974.tif 000003
【図２】
0003182974.tif 000004
【図３】
0003182974.tif 000005
【図４】
0003182974.tif 000006
【図５】
0003182974.tif 000007
【図６】
0003182974.tif 000008
【図７】
0003182974.tif 000009
【図８】
0003182974.tif 000010
【図９】
0003182974.tif 000011
【図１０】
0003182974.tif 000012